(57)【要約】  ほぼ三角形状の衣服及びブラジャー用アクセサリーであって、下着の上側角部から外方に延びブラジャーの肩ひもの周りに巻くことが可能な取り付けストラップを有する。さらに、下側の角部はブラジャーの中央部の周りに巻くことができる。好ましくは弾性材料からなる上方バンドが下着の上側縁部に沿って配置され、下着を付けている間女性の胸に下着を確実に保持する。下着は好ましくは２つの材料層、外側層及び内側層から構成され、外側層によって衣服及びブラジャー用アクセサリーを付けている間に内側層を引く下側角部への応力によって生じるような皺やくぼみを被覆する。さらなる特徴は、延長ストラップを含み、使用者が下着をより大きな胸及び／又はブラジャーのサイズに調整することを可能とし、かつブラジャーを用いなくとも下着や取り外し可能に宝石を付けることが可能となる。
2013526658.tif 000002
【特許請求の範囲】
【請求項１】
衣服及びブラジャー用アクセサリーであって、
前面、裏面、上側縁部、少なくとも２つの側面縁部、少なくとも２つの上側角部及び少なくとも１つの下側角部を有する本体；
上側縁部に沿って配置された少なくとも１つのファスナー；
裏面上に配置した少なくとも１つのファスナー；
少なくとも２つの上側角部の各々から延びる少なくとも１つの取り付けストラップであって、該取り付けストラップは本体と重複する近接部及び本体から離間して延びる遠位部とを有する少なくとも１つの取り付けストラップ；及び
取り付けストラップの近接部上に位置する複数のファスナーと取り付けストラップの遠位部上に配置された少なくとも１つのファスナーとからなる、衣服及びブラジャー用アクセサリー。
【請求項２】
さらに本体の上側縁部に沿って配置された上方バンドを有する、請求項１の衣服及びブラジャー用アクセサリー。
【請求項３】
上方バンドは弾性性状を有する、請求項２の衣服及びブラジャー用アクセサリー。
【請求項４】
さらに本体の裏面上に下方バンドを有する、請求項１の衣服及びブラジャー用アクセサリー。
【請求項５】
下方バンドは弾性性状を有する、請求項４の衣服及びブラジャー用アクセサリー。
【請求項６】
本体はさらに少なくとも１つの外側層と少なくとも１つの内側層を有する、請求項１の衣服及びブラジャー用アクセサリー。
【請求項７】
さらに少なくとも１つの取り付けストラップの長さを延長するための延長ストラップを有する、請求項１の衣服及びブラジャー用アクセサリー。
【請求項８】
さらに1個の宝石を衣服及びブラジャー用アクセサリーに取り付けるための取り付け部を有する、請求項１の衣服及びブラジャー用アクセサリー。
【請求項９】
本体はさらに少なくとも１つの下側角部を有する、請求項１の衣服及びブラジャー用アクセサリー。
【請求項１０】
さらに少なくとも１つの下側角部上に少なくとも１つのファスナーを有する、請求項９の衣服及びブラジャー用アクセサリー。
【請求項１１】
衣服及びブラジャー用アクセサリーであって、
前面、裏面、上側縁部、少なくとも２つの側面縁部及び少なくとも２つの上側角部を有する本体；
裏面上に配置した少なくとも１つのファスナー；
少なくとも２つの上側角部の各々から延びる少なくとも１つの取り付けストラップであって、該取り付けストラップは本体と重複する近接部及び本体から離間して延びる遠位部とを有する少なくとも１つの取り付けストラップ；及び
取り付けストラップの近接部上に配置された複数のファスナーと取り付けストラップの遠位部上に配置された少なくとも１つのファスナーとからなり、
本体の少なくとも一部は少なくとも１つの内側層と少なくとも１つの外側層とを有し；かつ
上側縁部は弾性性状を有する、衣服及びブラジャー用アクセサリー。
【請求項１２】
さらに本体の上側縁部に沿って配置された上方バンドを有する、請求項１１の衣服及びブラジャー用アクセサリー。
【請求項１３】
上方バンドは弾性性状を有する、請求項１２の衣服及びブラジャー用アクセサリー。
【請求項１４】
さらに本体の裏面の上に配置された下方バンドを有する、請求項１１の衣服及びブラジャー用アクセサリー。
【請求項１５】
下方バンドは弾性性状を有する、請求項１４の衣服及びブラジャー用アクセサリー。
【請求項１６】
さらに、少なくとも１つの取り付けストラップの長さを延長する延長ストラップを有する、請求項１１の衣服及びブラジャー用アクセサリー。
【請求項１７】
さらに、一個の宝石を衣服及びブラジャー用アクセサリーに取り付けるための取り付け部を有する、請求項１１の衣服及びブラジャー用アクセサリー。
【請求項１８】
衣服及びブラジャー用アクセサリーであって、
前面、裏面、上側縁部、少なくとも２つの側面縁部、少なくとも２つの上側角部及び少なくとも１つの下側角部を有する本体；
上側縁部に沿って配置した少なくとも１つのファスナー；
少なくとも２つの側面縁部上に配置した少なくとも１つのファスナー；
少なくとも２つの側面縁部の各々から延びる少なくとも１つの取り付けストラップであって、該取り付けストラップは本体と重複する近接部及び本体から離間して延びる遠位部とを有する少なくとも１つの取り付けストラップとを有する、衣服及びブラジャー用アクセサリー。
【請求項１９】
本体の少なくとも一部は少なくとも１つの内側層と少なくとも１つの外側層とを有する、請求項１８の衣服及びブラジャー用アクセサリー。
【請求項２０】
さらに、取り付けストラップの近接部上に配置した複数のファスナーと取り付けストラップの遠位上に配置した少なくとも１つのファスナーとを有する、請求項１８の衣服及びブラジャー用アクセサリー。
【発明の詳細な説明】
【技術分野】
【０００１】
＜関連出願に対するクロスリファレンス＞
本出願は２０１０年５月１２日に出願された米国特許出願第１２／７７８，２１２の継続出願であり、その開示内容の全体をこれによって本明細書中に取り込む。
＜技術分野＞
本発明は、女性の衣服、下着及びブラジャーに関し、より詳しく述べると、ブラジャーに取り付けられ、キャミソールやタンクトップを模倣し、かつ使用者の胸領域及び／又は谷間を被覆して、それによって謙遜な衣服を必要とするフォーマルあるいは他のシチュエーションで短く切り込んだ上着やドレスを使用者が着用することを可能とする発明品に関する。
【背景技術】
【０００２】
谷間を過度に露わにする低く短く切れ込んだ上着やドレスを女性が着用することは不適当と考えられる仕事の場や、学校、協会等の多くの環境がある。多くの女性は、フォーマルではあるが低くカットしたドレス及び／又は上着を持っている。従って、仕事等の衣服に関して、女性は選択に非常に制限される可能性はある。露出した谷間を覆うためにブラジャーに取り付けられ、あるいは低くカットした上着やドレスを抑制する覆いを開発する試みは過去にあった。
【０００３】
しかしながら、これらの覆いの多くのものは、覆いが確実に緩まないようにしっかりとブラジャーに取り付けらるものではなく、また女性の胸にぴったりとフィットするものでもない。過去の覆いのさらに別の問題は、これらのものは異なった胸のサイズ及び／または異なったサイズのブラジャーに対して、アジャストさせることができず、従って適合させることができないということである。過去の覆いのさらに別の問題は、中には、覆いをブラジャーや外側の衣服に取り付けるために、接着剤、紐、弓状体等の固定手段を使用するものもあるということである。
【０００４】
接着剤等の固定手段により常に接着されるということはなく、また使用者は新しい接着剤を用いなければ再度その覆いを使用することができないという事実のため、これらの過去の固定手段は失敗作となる傾向があった。さらに、弓状体等の固定手段は外側の衣服に現れるので、女性がタンクトップやキャミソールを模倣する谷間被覆デバイスを着用していることが明らかになる。過去のデバイスについてさらに別の問題は、これらのものは紐なしブラジャーには取り付けられないということである。従って、着用者のブラジャーにしっかりと取り付けられ、女性の胸及び／又はブラのサイズに調整ができ、タンクトップ等の実際の下着の外観を与え、再利用可能な固定手段を提供し、かつブラジャーなしでも被着することができる下着に対する需要が存在する。
【先行技術文献】
【特許文献】
【０００５】
【特許文献１】米国特許公開公報第２００７／０２８１５８５  ２００７年１２月６日  発明者Calamari et.al.
【特許文献２】米国特許第４，９５５，８４６号  １９９０年９月１１日  発明者Greenberg
【発明の概要】
【０００６】
本発明の第１の目的は、しっかりと被着者のブラジャーに取り付けられる衣服及びブラジャー用アクセサリーを提供することである。
【０００７】
本発明の別の目的は、女性の胸及び／又はブラのサイズに調節することが可能な衣服及びブラジャー用アクセサリーを提供することである。
【０００８】
本発明のさらに別の目的は、タンクトップ等の実際の下着の外観を与える衣服及びブラジャー用アクセサリーを提供することである。
【０００９】
本発明の別の目的は、再使用可能な固定手段を付与する衣服及びブラジャー用アクセサリーを定期要することである。
【００１０】
本発明のさらに別の目的は、外側の衣服から見えない固定手段を与える衣服及びブラジャー用アクセサリーを提供することである。
【００１１】
本発明の別の目的は、女性の胸にしっかりとフィットする衣服及びブラジャー用アクセサリーを提供することである。
【００１２】
本発明の別の目的は、紐なしブラジャーに取り付けられる衣服及びブラジャー用アクセサリーを提供することである。
【００１３】
本発明のさらに別の目的は、宝石類を衣服に取り付けることを可能とする衣服及びブラジャー用アクセサリーを提供することである。
【００１４】
本発明の別の目的は、直ちに取り付けられあるいは取り外すことができる、衣服及びブラジャー用アクセサリーを提供することである。
本発明のさらに別の目的は、ブラジャーをつけなくても被着することができる衣服及びブラジャー用アクセサリーを提供することである。
【００１５】
本発明は、表面、裏面、上側縁部、側面縁部、上側角部と下側角部を有するほぼ三角形状の衣服及びブラジャー用アクセサリーを提供することによって、上記及び他の目的を実現する。取り付けストラップは、上側角部から外側に延びる。取り付けストラップはブラジャーの肩紐の周りに巻くことができ、また紐なしブラジャーの場合には、ブラジャーの側面のストラップの周りに巻くこともできる。取り付けストラップは、その上に配置したスナップ、ボタン、フックとループファスナー等の固定手段を備える。取り付けストラップをブラジャーの肩ひもの周りに巻いた後、取り付けストラップ上に配置した固定手段を衣服及びブラジャー用アクセサリーの上側縁部に沿って配置した対応の固定手段に固定する。上側縁部に沿って配置した複数の固定手段を設けることによって、取り付けストラップによって形成するループの長さ、及び従って衣服及びブラジャー用アクセサリーの幅を使用者が調整可能としてもよい。また、固定手段を本デバイスの下側角部に配置する。下側角部は、ブラジャーの中央部の周りに巻いてもよい。下側角部をブラジャーの中央部の周りに巻いた後、下側角部に配置した固定手段を衣服及びブラジャー用アクセサリーの後側に配置した対応の固定手段に固定する。
【００１６】
衣服及びブラジャー用アクセサリーの裏側に複数の固定手段を配置して、下側角部によって形成されるループの長さ、及び従って衣服及びブラジャー用アクセサリーの高さを使用者が調整できるようにしてもよい。
【００１７】
弾性材料からなる上方バンドを衣服及びブラジャー用アクセサリーの上側縁部に沿って配置する。弾性材料によって、衣服及びブラジャー用アクセサリーを付けつつ、女性の胸に同アクセサリーを確実に保持する。衣服及びブラジャー用アクセサリーは、２つの材料層、外側層及び内側層から形成するのが好ましい。複数の材料層を有することの利点は、外側の層によって固定手段及び衣服及びブラジャー用アクセサリーを付けながら内側層を引いて下側角部に応力をかけることによって生じるような皺やくぼみを被覆するということである。
【００１８】
本発明のさらに別の特徴は、取り付けストラップに取り付けられ、使用者が衣服及びブラジャー用アクセサリーをより大きな胸及び／又はブラジャーサイズに調整することを可能とする延長ストラップを含めることである。延長ストラップを用いることによって、女性はブラジャーをしない場合でも依然衣服及びブラジャー用アクセサリーを用いることを可能とすることもできる。例えば、女性の背中にまわる長い延長ストラップを衣服及びブラジャー用アクセサリーの取り付けストリップに取り付けることができる。衣服及びブラジャー用アクセサリーは、宝石類を衣服に取り付けるための取り付け手段を含むこともできる。本発明の上記及び他の目的、特徴及び利点は、図面と関連して以下の詳細な説明を読むことによって、当業者にはより容易に明らかになるべきものであり、以下に本発明の具体的な実施態様を図示し、説明する。
【図面の簡単な説明】
【００１９】
以下の詳細な説明において、添付する図面を参照する。
図１は、本発明の衣服及びブラジャー用アクセサリーの背面図である。
図２は、ブラジャーに取り付けた本発明の衣服及びブラジャー用アクセサリーの背面図である。
図３は、ブラジャーに取り付けた本発明の衣服及びブラジャー用アクセサリーの正面図である。
図４は、ブラジャーに取り付けた本発明の衣服及びブラジャー用アクセサリーの図３の線４−４に沿った横断側面図である。
図５は、ビキニのトップに取り付けた本発明の衣服及びブラジャー用アクセサリーの正面図である。
図６は、紐なしブラジャーに使用するための本発明の衣服及びブラジャー用アクセサリーの正面図である。
図８は、宝石類を取り付けた本発明の衣服及びブラジャー用アクセサリーの正面図である。
図９は、本発明の延長ストラップを介して宝石類を取り付けたブラジャーの正面図である。
【発明を実施するための形態】
【００２０】
好適な実施態様を説明するために、図面に番号を付与した構成要素参照するのに用いた用語は、以下の通である。
１．本体                  １４．肩ひも
２．表面                  １５．側面ストラップ
３．背面                  １６．中央部
４．上側縁部              １７．外側層
５．側面縁部              １８．内側層
６．上側角部              １９．くぼみ
７．下側角部              ２０．延長ストラップ
８．取り付けストラップ    ２１．宝石
９．固定手段              ２２．取り付け手段
１０．スナップ              ２３．ビキニのトップ
１１．上方バンド            ２４．連結手段
１２．下方バンド            ２５．第１の端部
１３．ブラジャー            ２６．第２の縁部
【００２１】
図１を参照すると、本発明の衣服及びブラジャー用アクセサリーの背面図が図示されている。衣服及びブラジャー用アセンブリーは、ほぼ３角形形状の本体１を有する。本体１は、表面２（図３に図示する）、背面３、上側縁部４、側面縁部５、上側角部６及び下側角部７とを有する。取り付けストラップ８は、上側角部６から外方に延びる。スナップ１０、ボタン、マジックテープ（登録商標）ファスナー、留め金ファスナー等の複数の固定手段９が衣服及びブラジャー用アクセサリーの上側縁部４と取り付けストラップ８に沿って配置されている。また、固定手段９は衣服及びブラジャー用アクセサリーの下側角部７の上に配置されている。さらに、複数の固定手段９が、下側角部７の真上で衣服及びブラジャー用アクセサリーの裏面３上に配置されている。上方バンド１１は好ましくは弾性性状を有し、衣服及びブラジャー用アクセサリーの上側縁部４に沿って配置されている。上方バンド１１は、衣服及びブラジャー用アクセサリーを付けている間女性の胸に強固に保持する。下方バンド１２は好ましくは弾性性状を有し、衣服及びブラジャー用アクセサリーの裏面３上に配置され、下側角部７の真上の衣服及びブラジャー用アクセサリーの裏面３上に配置された固定手段９に対して補強を行う。
【００２２】
図２及び図３に参照すると、ブラジャー１３に取り付けた本発明の衣服及びブラジャー用アクセサリーの背面図及び正面図がそれぞれ示されている。衣服及びブラジャー用アクセサリーをブラジャー１３に固定するために、取り付けストラップ８がブラジャー１３の肩ひも１４の周りに巻かれ、あるいは紐なしブラジャーの場合には、ブラジャー１３の側面の紐１５のまわりに巻かれ、あるいは側面紐の下及び上に巻かれる。その後、取り付けストラップ８の上に配置した固定手段９、ここで示すスナップ１０を衣服及びブラジャー用アクセサリーの上側縁部４に沿って配置した対応の固定手段９に取り付けることによって、取り付けストラップ８を衣服及びブラジャー用アクセサリーの上側縁部４に取り付ける。次に、下側角部７をブラジャー１３の中央部１６のまわりに巻く。そして、下側角部７の上に配置された固定手段９を衣服及びブラジャー用アクセサリーの裏面３に沿って配置した対応の固定手段９に取り付けることによって、下側角部７を衣服及びブラジャー用アクセサリーの裏面３に固定する。
【００２３】
図４を参照すると、ブラジャー１３に取り付けた本発明の衣服及びブラジャー用アクセサリーの図３の線４−４に沿った横断側面図が示されている。衣服及びブラジャー用アクセサリーは、２つの材料層、外側層１７と内側層１８とから構成するのが好ましく、両層は好ましくは伸縮性の布状材料から形成される。外側層１７と内側層１８とを有する利点は、外側の層１７によって固定手段９及び衣服及びブラジャー用アクセサリー付けている間に内側層１７を下方に引く下側角部７への応力によって生じるような皺やくぼみ１９を被覆するということである。
【００２４】
図５を参照すると、ビキニのトップ２３に取り付けた本発明の衣服及びブラジャー用アクセサリーの正面図が示されている。衣服及びブラジャー用アクセサリーは、ビキニのトップ２３に取り付けた時に背面３が外側に面するように付ける。衣服及びブラジャー用アクセサリーをビキニのトップ２３に固定するために、取り付けストラップ８をビキニのトップ２３の肩ひも１４の周りに巻く。次に、取り付けストラップ８上に配置した固定手段９、ここで示す装飾スナップ２３を衣服及びブラジャー用アクセサリーの上側縁部４に沿って配置した対応の固定手段９に固定することによって、取り付けストラップ８を衣服及びブラジャー用アクセサリーの上側縁部４に固定する。その後、下側角部７をビキニのトップ２３の中央部１６の周りに巻く。そして、下側角部７の上に配置した固定手段９を衣服及びブラジャー用アクセサリーの背面３に沿って配置した対応の固定手段９に取り付けることによって、下側角部７を衣服及びブラジャー用アクセサリーの背面３に固定する。1個の装飾宝石２１を下側角部７上に配置した固定手段９に取り付けている。
【００２５】
図６を参照すると、紐なしブラジャーに用いる本発明の衣服及びブラジャー用アクセサリーの正面図が示されている。衣服及びブラジャー用アクセサリーは、ほぼ四角形状の本体１を有する。本体１は、前面２、背面３、上側縁部４、側面縁部５、上側角部６及び下側角部７とを有する。取り付けストラップ８は、上側角部６から外方に延びている。スナップ１０、ボタン、マジックテープ（登録商標）ファスナー、留め金ファスナー等の固定手段９が、取り付けストラップ８の上に配置されている。取り付けストラップ８は、使用者が衣服及びブラジャー用アクセサリーの上側縁部４を使用者の背中を回わりに固定することを可能とする延長ストラップ２０と連結して使用する。また、固定手段９を備える取り付けストラップ８が、衣服及びブラジャー用アセンブリーの下側角部７から下方に延びている。さらに、固定手段９が、下側角部７の真上の衣服の背面３上に配置されている。下側角部７上に配置した取り付けストラップ８はブラジャー１３の周りに巻いてもよいし、あるいはブラジャーのストラップ１５の下側及び上側に巻いてもよい。上方バンド１１は弾性性状を有することが好ましいが、衣服及びブラジャー用アクセサリーの上側縁部４に沿って配置される。上方バンド１１は、衣服及びブラジャー用アクセサリーを付けている間、衣服及びブラジャー用アクセサリーを女性の胸に確実に保持する。
【００２６】
別の実施態様では、本発明の延長ストラップ２０が図示されている。延長ストラップ２０は、種々の長さあるいはサイズに形成することができる。延長ストラップ２０は、衣服及びブラジャー用アクセサリー上に配置した固定手段９に取り付けられる固定手段９を両端に有し、使用者が衣服及びブラジャー用アクセサリーをより大きな胸及び／又はブラジャー１３のサイズに適合させることを可能としている。また、延長ストラップ２０を用いることによって、女性はブラジャー１３を用いないで衣服及びブラジャー用アクセサリーを依然使用することもできる。例えば、長い延長ストラップ２０を衣服及びブラジャー用アクセサリーの取付け紐８に取り付けて、使用者の背中にまわして付けることもできる。
【００２７】
図８を参照すると、宝石２１を取り付けた本発明の衣服及びブラジャー用アクセサリーの正面図が示されている。衣服及びブラジャー用アクセサリーはループ、ホック、留め具等の取り付け手段２２を備えることもでき、それによって使用者は一個の宝石２１や第１の端部２５と第２の端部２６とを有するロープ、リボン、ワイヤー、チェーン、パール、ビーズ等の複数の連結手段２４を衣服及びブラジャー用アクセサリーにあるいは直接ブラジャーに取り付けることを可能とする。取り付け手段２２は、衣服及びブラジャー用アクセサリーの上側角部６の近傍に配置することが好ましい。
【００２８】
最後に図９を参照すると、本発明の延長ストラップ２０を介して宝石２１を取り付けたブラジャー１３の正面図が示されている。延長ストラップ２０をブラジャー１３の肩ひも１４の周りにかつここではリングとして示す取り付け手段２２を介して巻くことによって、宝石２１あるいは第１端部２５と第２端部２６とを有するロープ、リボン、ワイヤー、チェーン、真珠、ビーズ等の複数の連結手段２４をブラジャー１３に取り付ける。
【００２９】
本発明の好適な実施態様を説明したが、本発明は本明細書に記載し図示した特定の形状あるいは構成の部品に限定されないことを理解すべきである。本発明の範囲を逸脱することなく種々の変更が可能であることは当業者には明らかであり、本発明は明細書及び図面に示され、記載された内容に限定されると考えてはならない。
【図１】
2013526658.tif 000003
【図２】
2013526658.tif 000004
【図３】
2013526658.tif 000005
【図４】
2013526658.tif 000006
【図５】
2013526658.tif 000007
【図６】
2013526658.tif 000008
【図７】
2013526658.tif 000009
【図８】
2013526658.tif 000010
【図９】
2013526658.tif 000011
【国際調査報告】
2013526658.tif 000012
2013526658.tif 000013